(57)【要約】【課題】ランプの交換を容易に行うことができるランプ装置の取付構造を提供する。【解決手段】意匠部２０は、ベゼル２１の一端側２１Ａの外縁部付近に、該意匠部２０に機能部３０を取り付ける際の該機能部３０に向かって突出するよう形成されたクリップ２３と、機能部３０を該意匠部２０に組付けるためにベゼル２１の他端側２１Ｂに立設された、機能部３０をベゼル２１の面に平行に移動させることによって該機能部３０を着脱可能とするロック手段４０が設けられたブラケット２４と、を有する。【選択図】図７
2010137719.tif 000002
【特許請求の範囲】
【請求項１】
枠状のベゼルを有し、ランプからの光を外部へ出射する窓が該ベゼルに設けられた意匠部と、前記ランプを有し、前記意匠部に組付け可能な機能部と、を備えるランプ装置を、内装材の略矩形状の開口部に取付けるためのランプ装置の取付構造であって、
前記意匠部は、前記ベゼルの一端側の外縁部付近に、該意匠部に前記機能部を取り付ける際の該機能部に向かって突出するよう形成されたクリップと、前記機能部を該意匠部に組付けるために前記ベゼルの他端側に立設された、前記機能部を前記ベゼルによって形成される平面に平行に移動させることによって該機能部を着脱可能とするロック手段が設けられたブラケットと、を有し、
前記ロック手段によって前記機能部を前記意匠部に組付けた後、前記クリップと前記ベゼルの一端側の外縁部との間の隙間、及び前記ブラケットに装着された前記機能部の下面と前記ベゼルの他端側の外縁部との間の隙間によって、それぞれ、前記開口部の一端側内縁部及び他端側内縁部を挟持させることで、前記ランプ装置を内装材に組み付けるように構成した、
ことを特徴とするランプ装置の取付構造。
【請求項２】
前記機能部の側面には、略円形状の係合突起が形成され、
前記ブラケットには、前記ロック手段として、前記係合突起が係合する略円形状の係合孔と、前記意匠部に前記機能部を取り付けた際の前記ベゼルの面方向に平行に該係合孔と外部との間を連通して切り欠いたガイド溝と、が形成され、
前記機能部の前記係合突起が前記ガイド溝によって案内され、前記係合孔に係合することによって、前記意匠部に前記機能部が取り付けられる、
ことを特徴とする請求項１に記載のランプ装置の取付構造。
【発明の詳細な説明】
【技術分野】
【０００１】
本発明は、車両用の室内照明灯やバニティランプなどのランプ装置へ適用するのに好適なランプ装置の取付構造に係り、特にランプの交換を容易に行うことができるランプ装置の取付構造に関する。
【背景技術】
【０００２】
車両には、一般に、逆光を避けるためにフロントガラス近傍の天井部分などにサンバイザが設置されている。また、このサンバイザには、ルームミラーとは別に小型のミラーが付設されているものも知られている。このようなミラーを付設したサンバイザでは、夜間などのように、車内が暗い場合でも使用できるようにするため、天井中央部付近のドームランプとは別に、サンバイザ設置部分の近傍などに照明灯を設けてあるものがある。
【０００３】
このような照明灯としては、例えば特許文献１に記載のものが知られている。
即ち、図１０に示すように、この照明灯１００には、（車両の天井部分の開口部分に取付けてある）天井トリム２００の開口縁部２０１に取付け可能なベゼル１０１及びこのベゼル１０１に固定させたレンズ１０２を備える意匠部１００Ａと、この意匠部１００Ａに支持されて天井トリム２００の裏面側に配置される本体部１０３及びこの本体部１０３に取付けた光源用のランプ（バルブ）１０４を備える機能部１００Ｂと、を有している。
【０００４】
また、意匠部１００Ａには、開口縁部に係止可能なクリップ１０５をベゼル１０１に設けている。一方、機能部１００Ｂには、本体１０３を、開口縁部２０１から天井トリム２００の裏面に沿って突出するような状態で設けている。なお、図中符号１０６は、電線（或はワイヤーハーネスなど）ＷＨを固定保持する電線用のクリップを示す。
【特許文献１】特開２００５−７５２１９号公報
【発明の開示】
【発明が解決しようとする課題】
【０００５】
ところが、このような構成の照明灯にあっては、一般に、意匠部に対して機能部が取り外しできない状態で組み付けられている。
【０００６】
本発明は、上述した事情に鑑みてなされたものであり、その目的は、ランプの交換を容易に行うことができるランプ装置の取付構造を提供することである。
【課題を解決するための手段】
【０００７】
前述した目的を達成するために、本発明に係るランプ装置の取付構造は、下記（１）から（２）を特徴としている。
（１）  枠状のベゼルを有し、ランプからの光を外部へ出射する窓が該ベゼルに設けられた意匠部と、前記ランプを有し、前記意匠部に組付け可能な機能部と、を備えるランプ装置を、内装材の略矩形状の開口部に取付けるためのランプ装置の取付構造であって、
前記意匠部は、前記ベゼルの一端側の外縁部付近に、該意匠部に前記機能部を取り付ける際の該機能部に向かって突出するよう形成されたクリップと、前記機能部を該意匠部に組付けるために前記ベゼルの他端側に立設された、前記機能部を前記ベゼルによって形成される平面に平行に移動させることによって該機能部を着脱可能とするロック手段が設けられたブラケットと、を有し、
前記ロック手段によって前記機能部を前記意匠部に組付けた後、前記クリップと前記ベゼルの一端側の外縁部との間の隙間、及び前記ブラケットに装着された前記機能部の下面と前記ベゼルの他端側の外縁部との間の隙間によって、それぞれ、前記開口部の一端側内縁部及び他端側内縁部を挟持させることで、前記ランプ装置を内装材に組み付けるように構成した、
こと。
（２）  上記（１）のランプ装置の取付構造であって、
前記機能部の側面には、略円形状の係合突起が形成され、
前記ブラケットには、前記ロック手段として、前記係合突起が係合する略円形状の係合孔と、前記意匠部に前記機能部を取り付けた際の前記ベゼルの面方向に平行に該係合孔と外部との間を連通して切り欠いたガイド溝と、が形成され、
前記機能部の前記係合突起が前記ガイド溝によって案内され、前記係合孔に係合することによって、前記意匠部に前記機能部が取り付けられる、
こと。
【０００８】
上記（１）の構成のランプ装置の取付構造によれば、ベゼルをその内装部の面方向（例えば、天井面に略平行な方向）にスライドさせることで機能部側を意匠部側から脱出させることができるロック手段を有する。従って、意匠部を取付けたランプ装置を内装部から取り外すことができるとともに意匠部から機能部を取り外すことができるので、ランプの交換が容易に行える。また、最小限の部品による簡易な構造で、車両用ランプを内装部に着脱可能に組み付けることができる。
上記（２）の構成のランプ装置の取付構造によれば、ベゼルの面方向に平行に切り欠いたガイド溝を通過させて係合突起を係合孔に嵌入させることができるので、意匠部に対して機能部を水平方向（例えば、天井面に平行方向）にスライドさせるだけで着脱させることが可能となり、ランプ交換の際に機能部の着脱操作が可能で、しかも容易に行えるようになる。また、機能部は意匠部に対して、内装部分の面（例えば、天井面）に垂直な上下方向でのロック動作となるので、例えば車両用のランプ装置のように、上下方向の揺動が多く発生する可能性の高い車両に本発明の取付構造を適用すれば、上下方向に揺動するのを効果的に抑制することができるので、ロック部分での異音の発生も抑止できる。
【発明の効果】
【０００９】
本発明のランプ装置の取付構造によれば、ランプ装置を内装部から取り外すことができるとともに意匠部から機能部を取り外すことが可能になり、バルブの交換が容易に行える。
【００１０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１１】
以下、本発明に係る好適な実施形態を添付図面に基づいて詳細に説明する。
図１及び図２は本発明の一実施形態に係るランプ装置の取付構造を天井側の内装材Ｒ（内装部を構成する）に適用したバニティランプ１０（本発明のランプ装置を構成する）を示すものである。このバニティランプ１０は、概略構成として、意匠部２０と、機能部３０と、を備えており、天井側の内装材Ｒの開口部Ｒ１の内周縁部に取付けたルーフトリムＴに対して着脱可能な構造となっている。
【００１２】
このうち、意匠部２０は、車両の内装部（内装材Ｒ）のうち特に本実施形態では天井側の内装部（内装材Ｒ）の開口部Ｒ１に取付けたルーフトリムＴ（図４参照）対して着脱可能な枠状のベゼル２１と、このベゼル２１に取付けた透明（又は半透明）な出射用の窓を構成するレンズ部２２とを備えている。なお、このレンズ部２２は、ルーフトリムＴに対して天井奥部方向に若干窪んだ形状等としておけば、後述する掛止部２１１での掛止機能とともに、バニティランプ１０をルーフトリムＴに着脱操作させるときに手で掛止（又は把持）させる掛止手段（又は把持手段）としても機能させることが可能となる。
【００１３】
ベゼル２１は、開口部のルーフトリムＴの突部Ｔ２（詳細は後述する）に係止させるクリップ２３を一端部２１Ａに有するとともに、ブラケット２４を他端部２１Ｂ寄りに有する。
【００１４】
また、このベゼル２１には、図４（Ａ）に示すように、外周縁部に、上下複層に分岐した（例えば本実施形態では２層に分岐した）掛止部２１１を有しており、バニティランプ１０をルーフトリムＴに対して着脱させる際に、例えば操作する指をこの掛止部２１１に掛止させることでベゼル２１をしっかりと把持して、バニティランプ１０を確実かつ容易に着脱できる。即ち、この掛止部２１１は、薄肉形状のもので構成しているので、２層の間の隙間に指先や爪などを差し込むことで容易に掛止できる。特に、この掛止部２１１は、２層に分岐させた形状を有するので外観的に美装な構成であり、掛止手段としての機能を外部から想像することが困難な工夫が施されているので、把持機能と同時に意匠性も高まる。また、上下２層とすることで薄肉状に形成してあるので、掛止機能を損なわない程度の可撓性やばね性を付与することにより、バニティランプ１０を着脱操作する際に、この掛止部２１１を上下方向に弾性変形可能とすることで着脱の際の操作自由度を高めることも可能である。
【００１５】
クリップ２３は、図１及び図２（また図７）に示すように、ベゼル２１（又はレンズ部２２でもよい）の前方側（図１、２では左側）に直立させた薄板状の起立部２３１と、この起立部２３１から連なる略逆Ｕ字形を呈する薄板状の首部２３２と、この首部２３２から斜め下の前方に向けて垂下する頭部２３３と、を備えている。特に起立部２３１及び首部２３２は、その形状が薄板状であるために前後方向に揺動可能なばね性を有する構成となっており、その先の下方に傾斜した頭部２３３が前後方向に変位可能となる。
【００１６】
さらに、その頭部２３３は、図７に示すように、先端面が前方下側に向けて傾斜した楔形状の傾斜面２３３Ａと、この傾斜面２３３Ａに隣接して設けた（ルーフトリムＴの前述した突部Ｔ２に係止する）鉤状の係止面２３３Ｂとを有する。
【００１７】
特に、傾斜面２３３Ａは、力学的に配慮された固有の形状及び固有の傾斜角度を有する形状となっている。即ち、この固有の形状及び傾斜角度を有する傾斜面２３３Ａでは、後述するルーフトリムＴの外縁部に有する突部Ｔ２に対して、バニティランプ（ランプ装置）１０を外部（図７では下方）から押込んで差し込むと、頭部２３３が一旦後方に後退して突部Ｔ２を潜り抜けた後、係止面２３３Ｂがばね力で前方に戻るので突部Ｔ２に容易に係合できる。また、逆に、バニティランプ１０を外部（図７では下方）へ引き出すように引っ張ると、頭部２３３が一旦後退して突部Ｔ２を潜る抜けることができるので、係止面２３３Ｂを突部Ｔ２から容易に係合解除できる。
【００１８】
ブラケット２４は、ベゼル２１の面方向（図２ではα方向）対してこれに垂直な厚さ方向に直立した一対の薄い壁面で構成されており、ベゼル２１の他端部２１Ｂ側の両側に一対起立させて形成される。ブラケット２４は、ベゼル２１側に装着後の機能部３０に対して意匠部２０の面方向に向かうスライド動作でベゼル２１側から機能部３０側を脱出させることができるロック手段４０を備える。
【００１９】
ロック手段４０は、後述する機能部３０の本体３１の両側面に一対設けた係合突起４１に係合する、該係合突起４１が出入可能な略円形状の切欠き部分を有する係合孔４２を備えている。
【００２０】
このうち、係合突起４１は、図３に示すように、外径Ｄ１の真円形状を有する円形突部４１１と、この円形突部４１１の後方に連なる細幅Ｄ２（但し、Ｄ１＞Ｄ２）を有する方形突部４１２とを備えているが、特に方形突部４１２は必須のものではない。
【００２１】
一方、係合孔４２は、図３に示すように、円形突部４１１の外径Ｄ１と略同一又はこれより若干大きな内径Ｄ３（即ち、Ｄ３≧Ｄ１）を有し円形突部４１１が嵌入するロック溝部４２１と、このロック溝部４２１まで外部から円形突部４１１をガイドするために少なくとも円形突部４１１の外径Ｄ１よりも細幅寸法Ｄ４（即ち、Ｄ３≧Ｄ１＞Ｄ４＞Ｄ２）を有しロック溝部４２１と外縁部との間に形成されたガイド孔部４２２とを備える。
【００２２】
ガイド孔部４２２は、図３に破線で示すように、外部に向けて拡開するような形状とすれば、このガイド孔部４２２への係合突起４１の導入及び脱出がさらに容易かつスムースに行えるので好ましい。また、このガイド孔部４２２は、円形突部４１１がロック溝部４２１に嵌入した後に、このロック溝部４２１を回動中心として円形突部４１１（延いてはこれを設けている機能部３０）が揺動変位するのを可能とするために、方形突部４１２に比べてある程度大きく切り欠いてあることが好ましい。このように、機能部３０を揺動可能とするのは、バニティランプ１０をルーフトリムＴに対して着脱する際の自由度を確保するためであり、これについては詳細な説明を後述する。
【００２３】
なお、係合突起４１の円形突部４１１がロック溝部４２１を通過して円形突部４１１に嵌入できるようにするため、ブラケット３２において少なくとも係合孔４２を設けている部分、或は係合突起４１の円形突部４１１を形成する部分については、材質的に弾性又は可撓性を有する材質で形成することが好ましい。
【００２４】
一方、機能部３０は、この機能部３０の本体３１と、この本体３１の前端部３１Ａ側に設けた光源であるランプＬ（又はバルブ）を取付けるためのソケット３２と、本体３１の両側面に設けた前述の係合突起４１と、本体３１の後端部３１Ｂ側に突出させて設けた（後述の電線ＷＨを収容する）コードクリップ３３を有する突出部３４と、を備えている。また、ソケット３２は、口金部分などを天井裏側に配設させた電線ＷＨと接続させており、図示外のバッテリからランプＬへ給電させるようになっている。
【００２５】
ソケット３２は、これに螺合させる機構などでランプＬを装着させる、図示外の導電性金属で形成した口金を設けており、この口金部分が図示外の天井裏に配設された電線（ワイヤハーネスＷＨ）の一端部と半田その他の適宜手段で電気的に接続されている。なお、このソケット３２側と接続させる電線は、バニティランプ１０を天井裏側から外側に取り出したときにこれと一緒に連れ回されるので、バニティランプ１０を取り外してある程度の範囲で自由に移動させることを許容するために、図示外の余長部を天井裏などに設けてある。
【００２６】
ルーフトリムＴは、図４（Ｂ）及び図７に示すように、天井部分の内装材Ｒの開口部Ｒ１の内周縁部に嵌合させるために厚さ方向に上下２層に分岐させて溝Ｔ０を形成した外周縁部Ｔ１を有しているとともに、その外周縁部Ｔ１の近傍が天井の奥部方向に向けて突出した（外方からみると窪んだ）突部Ｔ２、Ｔ３を有している。天井部分の内装材Ｒの奥部に向けて突出する突部Ｔ２、Ｔ３を設けることで、意匠部２０のクリップ２３及び後述する機能部３０突出部３４が、それぞれベゼル２１との間で形成する隙間を利用してルーフトリムＴに挟持させて係止することができるので、意匠部２０がルーフトリムＴに組付けられる。
【００２７】
特に、本発明では、ロック手段４０により、機能部３０に対して、意匠部２０をベゼル２１の厚さ方向ではなくこれに垂直な面方向（図２では−α方向）に相対移動させることで、意匠部２０を機能部３０との係合ロック状態から解放させることができるので、意匠部２０をルーフトリムＴから脱出させることができる。つまり、意匠部２０は、ルーフトリムＴに対して着脱可能な状態で係合されているわけである。なお、後述するように、ロック手段４０による機能部３０と意匠部２０との係合力の方が、機能部３０の突出部３４とルーフトリムＴの突起部Ｔ３との係合力よりも弱くなるように構成してあれば、機能部３０も意匠部２０と一体の状態で、ルーフトリムＴ側から同時に脱出可能に構成できる。
【００２８】
次に、本実施形態に係るランプ装置であるバニティランプ１０を天井部分に設けたルーフトリムＴへ装着させるときの操作及び脱出させるときの操作について、図５ないし図９を参照しながら詳細に説明する。
【００２９】
まず初めに、バニティランプ１０については、図９（Ａ）に示すように、意匠部２０のブラケット２４に設けたロック手段４０の一部を構成する係合孔４２に向けて、機能部３０の本体３１に設けたロック手段４０の一部を構成する係合突起４１を嵌入させる。これにより、同図（Ｂ）に示すように、意匠部２０に機能部３０をロックさせて一体化させておく。なお、機能部３０には、予め天井裏側に配線させてあった電線ＷＨとソケットとの間での電気的な接続を、バニティランプ１０のルーフトリムＴへの最初の組み付け、つまり初期時の組付けに先立って予め行っておく必要がある。
【００３０】
このようにして、図５に示すように、機能部３０を組み付けた後のバニティランプ１０を、天井部分に設けたルーフトリムＴの開口部分の直下に配置させる。
【００３１】
次に、図６に示すように、機能部３０の方が天井部分に接近するような、バニティランプ１０の後方が上方に向いた傾斜状態を保持させながら、ルーフトリムＴの開口部分を最初に後方側の機能部３０が潜り抜けるようにして、天井部分の奥部方向にバニティランプ１０を差し入れていく。
【００３２】
その後に、意匠部２０の前方側のクリップ２３がルーフトリムＴの開口部分を潜り抜けるように斜め上方に徐々に上昇させしながら、図７に示すように、バニティランプ１０のベゼル２１をルーフトリムＴの開口部分に組み付けていく。
【００３３】
このようにして、バニティランプ１０のベゼル２１をルーフトリムＴに組み付けていく。即ち、意匠部２０の前方側のクリップ２３とベゼル２１との間の隙間でルーフトリムＴの突部Ｔ２を挟持させて係止させる。また、これと同時に、機能部３０の突出部３４とベゼル２１との間の隙間で、ルーフトリムＴの突部Ｔ２とは反対側の突部Ｔ３を挟持させて係止させる。これによって、バニティランプ１０の前後側がルーフトリムＴに組付けられる。
【００３４】
なお、ここで、組み付け状態を安定化させるために、例えばベゼル２１の後部側裏面（上面）などに両面テープを貼付させ２次的な固定処理を行っておくことで、ルーフトリムＴに対する組み付け状態がより安定化し、ルーフトリムＴからバニティランプ１０が不用意に脱落することも防止できる。
【００３５】
次に、このように組み付けされた状態から、所要の離脱動作を行うようにすれば、バニティランプ１０がルーフトリムＴから脱出可能となる。なお、前述のテープで２次的な固定処理を行ってある場合には、両面テープを適宜の治具などでルーフトリムＴから剥離させる操作を同時に行うようにする。
【００３６】
即ち、バニティランプ１０の前方側を天井側から離れる手前側の床側方向に引き出す動作と、図８に示すような離脱方向γに、つまりバニティランプ１０を前進させる方向にスライドさせる動作とを同時に行う。すると、図７に示すクリップ２３がルーフトリムＴの突部Ｔ２から離脱する方向の変位、つまり、初め頭部２３３が時計方向に僅かに回動・変位して突部Ｔ２を乗り越えた後、直ちに反時計方向に弾性的に戻る復元動作を行う。これによって、突部Ｔ２との係合状態が解除される。従って、その後に引き続き、斜め前方へ下方向へ向けたスライド操作を行うようにすれば、バニティランプ１０をルーフトリムＴから脱出させることができる。
【００３７】
なお、このバニティランプ（本発明のランプ装置を構成する）１０をルーフトリムＴから脱出操作させる場合には、次の２つの態様が考えられる。即ち、
（１）バニティランプ１０を構成する意匠部２０及び機能部３０を一体として、これら意匠部２０及び機能部３０をともにルーフトリムＴから脱出操作させる態様（以下、第１態様とよぶ）と、
（２）バニティランプ１０を構成する意匠部２０及び機能部３０のうち、機能部３０のみをルーフトリムＴとの係合させた残留状態のまま、意匠部２０を設けたバニティランプ１０をルーフトリムＴから脱出操作させる態様（以下、第２態様とよぶ）と、
が考えられる。
【００３８】
このうち、第１態様は、機能部３０ごと外部へ取り出すのでランプＬの交換作業のほかに機能部３０の点検修理などにも適している一方、第２態様は、専らランプＬの交換作業に適している。これらのいずれの態様を行わせるかは、ロック手段４０における係合突起４１が係合孔４２からの脱出に要する第１脱出力Ｆ１と、機能部３０の突出部３４がルーフトリムＴの突部Ｔ３に係止した状態から脱出するのに要する第２脱出力Ｆ２との大小関係に依存する。
【００３９】
従って、ランプＬの交換作業の頻度と機能部３０の点検修理作業の頻度のうち、どちらか頻度の高い方の態様に合わせるのが都合よいが、一般にはランプＬの方が交換頻度の高いので、第２態様を実行させるような構成とするのがよい。このためには、第１脱出力Ｆ１の方を第２脱出力Ｆ２よりも小さく設定させるように構成すればよい。具体的には、例えば、図３に示す円形突部４１１の外径Ｄ１に対するガイド孔部４２２の溝幅Ｄ４が小さくならない範囲で、できる限り大きく形成するようにしたり、意匠部２０側のブラケット２４または機能部３０側の円形突部４１１の材質をより弾性変形の大きなもので形成するようにすればよい。
【００４０】
一方、頻度は低くても機能部３０の点検修理作業の容易さを重要視するのであれば、第１脱出力Ｆ１の方を第２脱出力Ｆ２よりも大きく設定させるように構成すればよい。
【００４１】
なお、本発明は上述した実施形態に何ら限定されるものではなく、その要旨を逸脱しない範囲において種々の形態で実施し得るものである。
【図面の簡単な説明】
【００４２】
【図１】本発明の実施形態に係る取付構造を適用させるランプ装置を示す斜視図である。
【図２】その分解斜視図である。
【図３】そのランプ装置に設けたロック手段を示す構成図である。
【図４】（Ａ）はそのランプ装置の下面部分を示す斜視図、（Ｂ）はこのランプ装置を組み付ける天井側の内装材及びこの開口部に取付けたルーフトリムを示す断面図である。
【図５】そのランプ装置をルーフトリムに組み付ける際の準備段階を示す説明図である。
【図６】そのランプ装置をルーフトリムに組み付ける途中段階を示す説明図である。
【図７】そのランプ装置をルーフトリムに組み付けた後の状態を示す説明図である。
【図８】そのランプ装置をルーフトリムから脱出させるときの操作方向を示す説明図である。
【図９】（Ａ）及び（Ｂ）はそのランプ装置の意匠部に設けたブラケットに機能部をロックして組み付けるときの操作を示す説明図である。
【図１０】従来の取付構造に適用させるランプ装置を示す構成図である。
【符号の説明】
【００４３】
１０  バニティランプ（ランプ装置）
２０  意匠部
２１  ベゼル
２１Ａ  一端部
２１Ｂ  他端部
２１１  掛止部
２２  レンズ部（出射窓）
２３  クリップ
２３１  起立部
２３２  首部
２３３  頭部
２３３Ａ  傾斜面
２３３Ｂ  係止面
２４  ブラケット
３０  機能部
３１  本体
３１Ａ  前端部
３１Ｂ  後端部
３２  ブラケット
３３  コードクリップ
３４  突出部
４０  ロック手段
４１  係合突起
４１１  円形突部
４１２  方形突部
４２  係合孔
４２１  ロック溝部
４２２  ガイド孔部
Ｒ  天井側の内装材（内装部）
Ｒ１  開口部
Ｔ  ルーフトリム
Ｔ０  溝
Ｔ１  外周縁部
Ｔ２  突部
Ｔ３  突部
ＷＨ  電線
α  ベゼルの面方向
γ  ランプ装置の離脱方向
【図１】
2010137719.tif 000003
【図２】
2010137719.tif 000004
【図３】
2010137719.tif 000005
【図４】
2010137719.tif 000006
【図５】
2010137719.tif 000007
【図６】
2010137719.tif 000008
【図７】
2010137719.tif 000009
【図８】
2010137719.tif 000010
【図９】
2010137719.tif 000011
【図１０】
2010137719.tif 000012